(57)【要約】 【課題】外壁本体の入隅部において一対の外装パネルの端部を確実且つ容易に所定位置に装着できる外装パネル用役物の構造を提供する。【解決手段】外装パネル用役物１０は、建築物の外壁本体１１の入隅部に取付けられる一対の外装パネル１２の端部１２ａを覆う役物で長尺のベカバー材１３とース材１４で構成される。カバー材１３の断面形状は対称形で一対の脚部１３ｇを形成しその先端部に爪部１３ｈが形成される。ベース材１４の断面形状は対称形で、脚部１３ｇを挿入するための凹部１６と外壁本体１１に固着される開度θ４＝９０度の一対の固着部１４ｄが、固着部１４ｄの一端部１４ｅに立設する垂直板１４ｆと固着部１４ｄに平行な平行板１４ｇを介して凹部１６の両開口端部１４ｃに連結される。凹部１６の開口端部１４ｃに内部側に向けて爪部１３ｈを係止する突起１４ｈを備える。【選択図】  図１
2010007301.tif 000002
【特許請求の範囲】
【請求項１】
建築物の外壁本体の入隅に設けられる一対の外装パネルの端部を覆うベース材とカバー材から成る長尺の外装パネル用役物の構造であって、
前記カバー材の断面形状は対称形で、略直角に中央部で折曲がる一対の第一表面部と、この第一表面部の両端部で折返し前記第一表面部の裏面に沿う第二表面部と、前記第二表面部の前記中央部近傍から互いに鋭角で延設する一対の脚部と、この一対の脚部の先端部から互いに離反する方向に折返して成る爪部と、が連続して形成され、
前記ベース材の断面形状は対称形で、前記爪部を挿入する凹部とこの凹部の両端部に連結して前記外壁本体に固着される一対の固着部とから成り、前記凹部の開口端部の内部側に前記爪部を係止する突起を備え、前記開口端部と前記固着部は前記固着部に垂直な垂直板を介して連結されることを特徴とする外装パネル用役物の構造。
【発明の詳細な説明】
【技術分野】
【０００１】
本発明は、外壁本体の入隅に設ける一対の外装パネルの端部を覆う外装パネル用役物の構造に関し、特に、外装パネル端部の差込位置が確実且つ容易に判断できる外装パネル用役物の構造の技術に関する。
【背景技術】
【０００２】
従来、外壁本体の隅部に外装パネルとして設ける場合に、一対の外装パネルの端部を覆う外装パネル用役物はベース材とカバー材で構成され、ベース材にカバー材を確実且つ容易に装着できる構造が求められていた。
【０００３】
このような外装パネル用役物として特許文献１の記載が知られている。特許文献１によれば、図４に示すように、出隅用の外装パネル用役物はカバー材３とベース材４で構成される。カバー材３の表面化粧部３１には、出隅に対応できるように直角コーナー部３１３を設けるとともに、ベース材４にも出隅に対応できるように直角コーナー部４３が設けられ、カバー材３の表面化粧部３１の裏面の両端には、その長さ方向に沿って防水パッキンＰが延設されている。また、ベース材４にはカバー材３の左係止片３２１と係合する係合片４１および右係止片３３１と係合する係合片４２とがそれぞれの壁部４１ａ、４２ａに設けられ、係合片４１、４２の間には嵌合部４０が形成されている。
【０００４】
このため、カバー材３の左右の脚部３２、３３をバネ弾性による反発力に抗して一体的にベース材４の嵌合部４０に嵌合して弾接させるとともに、左右一対の係止片３２１、３３１を左右一対の係合片４１、４２に各々係合させることにより、外装パネルの両端部を外装パネル用役物で確実に取付けることができる。
【特許文献１】特開２００５−１２６９８８号公報
【発明の開示】
【発明が解決しようとする課題】
【０００５】
ところが、図５に示すように、上記の出隅用の外装パネル用役物の壁部４１ａ、４２ａと左右一対の係合片４１、４２と左右一対の係止片３２１、３３１の形状を用いて、カバー材３ａとベース材４ａを入隅用に改良して適用することができる。この場合、一方の外装パネルＳの端部Ｓ１の差込位置が明確でないので端部Ｓ１と壁部４１ａとの間に隙間が生じ、他方の外装パネルＳの端部Ｓ１が壁部４２ａに当接する状態に外装パネルＳが取付けられることがある。この場合、カバー材３ａは片方の壁部４１ａを挟み込むような状態に挿入されるので左右一対の係止片３２１、３３１を左右一対の係合片４１、４２に係合することができないという問題があった。
【０００６】
また、図６に示すように、両方の外装パネルＳの端部Ｓ１の差込位置が分かりにくいため端部Ｓ１が壁部４１ａ、壁部４２ａに当接する位置に取付けられると、一対の外装パネルＳ間の隙間が狭くなるため係止片３２１、３３１が挿入できないため係合片４１、４２に係合することができないという問題があった。
【０００７】
そこで、本発明は外壁本体の入隅部において一対の外装パネルの端部を確実且つ容易に所定位置に装着できる外装パネル用役物の構造を提供することを目的とする。
【課題を解決するための手段】
【０００８】
請求項１の発明は、建築物の外壁本体の入隅に設けられる一対の外装パネルの端部を覆うベース材とカバー材から成る長尺の外装パネル用役物の構造であって、前記カバー材の断面形状は対称形で、略直角に中央部で折曲がる一対の第一表面部と、この第一表面部の両端部で折返し前記第一表面部の裏面に沿う第二表面部と、前記第二表面部の前記中央部近傍から互いに鋭角で延設する一対の脚部と、この一対の脚部の先端部から互いに離反する方向に折返して成る爪部と、が連続して形成され、前記ベース材の断面形状は対称形で、前記爪部を挿入する凹部とこの凹部の両端部に連結して前記外壁本体に固着される一対の固着部とから成り、前記凹部の開口端部の内部側に前記爪部を係止する突起を備え、前記開口端部と前記固着部は前記固着部に垂直な垂直板を介して連結されることを特徴としている。
【発明の効果】
【０００９】
請求項１の発明によれば、前記ベース材の断面形状は対称形で、前記爪部を挿入する凹部とこの凹部の両端部に連結して前記外壁本体に固着される一対の固着部とから成り、前記凹部の開口端部の内部側に前記爪部を係止する突起を備え、前記開口端部と前記固着部は前記固着部に垂直な垂直板を介して連結されるので、一対の外装パネルの端部を垂直板にそれぞれ当接することで容易且つ確実に外装パネルの所定の取付位置を確定することができる。このため、凹部の両端部に不要な力が係らず凹部の形状が変化しないので前記カバー材を前記ベース材に確実に取付できるので施工性が向上する。
【発明を実施するための最良の形態】
【００１０】
以下に、本発明の実施形態を図１〜図３に基づいて説明する。
【００１１】
＜外装パネル用役物の構造の構成＞
図１、図２、図３に示すように、本発明の外装パネル用役物１０は、建築物の外壁本体１１の入隅部に胴縁１１ａを介して取付けられる一対の外装パネル１２の端部１２ａを覆う役物で、長尺のカバー材１３とベース材１４で構成される。
【００１２】
カバー材１３の断面形状は対称形で、一対の第一表面部１３ａは外壁本体１１に平行と成るように中央部１３ｂで開度θ１＝９０度で折曲がり、この第一表面部１３ａの両端部１３ｃで折返し第一表面部１３ａの裏面に沿って第二表面部１３ｄが形成される。より詳しくは、第一表面部１３ａの中央部１３ｂと端部１３ｃ間は幅Ｋ１で、第一表面部１３ａと第二表面部１３ｄは端部１３ｃから長さＫ２の位置１３ｅで角度θ２＝１０度で折れ曲がる傾斜部１３ｆを備え、この傾斜部１３ｆに防水用のパッキン材１５が固着される。
【００１３】
第二表面部１３ｄは中央部１３ｂ近傍から一対の脚部１３ｇを互いの脚部１３ｇ間の開度θ３＝略２０度の鋭角で形成し、その先端部に互いに離反する方向に折返して爪部１３ｈが形成される。
【００１４】
ベース材１４の断面形状は対称形で、カバー材１３の脚部１３ｇを挿入するための凹部１６が底辺１４ａと両側辺１４ｂで矩形状に形成される。この凹部１６の両開口端部１４ｃに外壁本体１１に固着される開度θ４＝９０度の一対の固着部１４ｄが、固着部１４ｄの一端部１４ｅに立設する垂直板１４ｆと固着部１４ｄに平行な平行板１４ｇを介して連結される。凹部１６の開口端部１４ｃに内部側に向けてカバー材１３の爪部１３ｈを係止する突起１４ｈを備える。ベース材１４の固着部１４ｄは釘等の固着具１７を用いて外壁本体１１に固着される。
【００１５】
カバー材１３は鋼板による板金加工で連続的に一体形成される。ベース材１４は鋼板による板金加工で爪部１５ｂを除いて連続的に一体形成した後に爪部１５ｂを別途形成するか、爪部１５ｂの部分を折り重ねることで連続的に一体形成される。
【００１６】
そして、ベース材１４は薄板鋼板の両表面にアルミ・亜鉛合金メッキが施され、カバー材１３は両表面にアルミ・亜鉛合金メッキが施された薄板鋼板に、さらに表面側にフッ素樹脂塗装、裏面側にポリエステル樹脂塗装が施された材料が用いられる。
【００１７】
外装パネル１２は断熱性、遮音性等を目的として、断熱材を図示しない薄肉の金属板で被覆してなる厚さＨ１＝２１ｍｍの金属サイディングが用いられる。複数の外装パネル１２は外壁本体１１の下から上に向かって順番に横張りで組付ける場合と左右方向に縦張りで取付ける場合とがある。外装パネル用役物１０の取付時に、必要によりパッキン材１５と別途に図示しないシール材を用いて防水対策が施される。なお、胴縁１１ａが使用されない場合もある。
【００１８】
＜外装パネル用役物の構造の作用＞  
上記のように、ベース材１４の開口端部１４ｃと固着部１４ｄは固着部１４ｄの一端部１４ｅに立設する垂直板１４ｆと固着部１４ｄに平行な平行板１４ｇを介して連結される。このため、外装パネル１２を外壁本体１１に沿わせてベース材１４に位置決めする際に、外装パネル１２の端部１２ａを垂直板１４ｆ位置に合わせるだけで容易に位置決めすることができる。つまり、垂直板１４ｆの存在によって外装パネル１２の端部１２ａが垂直板１４ｆに当接したという感触が作業者に確実に伝わるので余分な力で垂直板１４ｆを押込みすぎて凹部１６の形状が変化することも無く最適な取付位置の確定が容易にできるので取付作業の効率と施工性が向上する。
【００１９】
脚部１３ｇの爪部１３ｈが係止される状態が目視できなくても、脚部１３ｇは平行板１４ｇによって凹部１６の一側辺１４ｂに跨がることもなく凹部１６内に確実に挿入できて、挿入後は脚部１３ｇの弾力で凹部１６の両側辺１４ｂに当接するので爪部１３ｈが突起１４ｈによって確実に係止される。
【００２０】
以上、本発明の実施例を図面に基づいて説明したが、具体的な構成はこの実施例に限られるものではなく本発明の要旨を逸脱しない範囲の設計変更等があっても本発明に含まれる。
【００２１】
たとえば、ベース材１４の開口端部１４ｃと固着部１４ｄを垂直板１４ｆと平行板１４ｇを介して連結する代わりに、開口端部１４ｃと固着部１４ｄを斜板によって直接連結しても構わない。この場合でも、斜板の存在によって外装パネル１２の端部１２ａが固着部１４ｄの一端部１４ｅにおける斜板と当接したという感触が作業者に確実に伝わるので同様の効果が得られる。また、カバー材１３の開度θ１は入隅の実角度に応じて９０度以外の角度にも対応できる。カバー材１３とベース材１４はアルミ材や樹脂材でも形成される。
【図面の簡単な説明】
【００２２】
【図１】本発明の実施形態における、建築物の外壁本体１１の入隅部に設ける一対の外装パネル１２の端部１２ａを覆うカバー材１３とベース材１４から成る外装パネル用役物１０の断面図である。
【図２】本発明の実施形態における、カバー材１３の断面図である。
【図３】本発明の実施形態における、ベース材１４の断面図である。
【図４】従来の、建築物の外壁本体に設けられる一対の外装パネルＳの端部を覆うカバー材３とベース材４から成る外装パネル用役物の断面図である。
【図５】従来の他の建築物の外壁本体に設けられる一対の外装パネルＳの端部Ｓ１を覆うカバー材３ａとベース材４ａから成る外装パネル用役物の断面図で、一方の外装パネルＳの端部Ｓ１が壁部４２ａに近接した状態を示す断面図である。
【図６】図５に示す従来の他の外装パネル用役物で、両方の外装パネルＳの端部Ｓ１が壁部４１ａ、４２ａに近接した状態を示す断面図である。
【符号の説明】
【００２３】
１０ 外装パネル用役物
１１ 外壁本体
１２ 外装パネル
１２ａ 端部
１３ カバー材
１３ｇ 脚部
１３ｈ 爪部
１４ ベース材
１４ｃ 開口端部
１４ｄ 固着部
１４ｅ 一端部
１４ｆ 垂直板
１４ｇ 平行板
１４ｈ 突起
１６ 凹部
【図１】
2010007301.tif 000003
【図２】
2010007301.tif 000004
【図３】
2010007301.tif 000005
【図４】
2010007301.tif 000006
【図５】
2010007301.tif 000007
【図６】
2010007301.tif 000008